(57)【要約】【課題】薬品注入状況が外部から監視出来、薬品注入部分に詰まりが生じたら容易に除去できて、循環ろ過設備循環水の水質を常に良好に保持する薬品注入混合器を提供する。【解決手段】薬品注入混合器１は、外部から目視観察自在の透明な薬品注入混合器本体２の側壁３ａに薬品注入用チャッキ弁４を設け、この薬品注入用チャッキ弁４に対向する側壁３ａに、取り外し自在の止水弁１４付きのメンテナンス用枝管６を取り付けることで、薬品注入状況が外部から監視出来、薬品注入用チャッキ弁４の先端部分の詰まり発見したら、直ぐに循環ろ過設備の運転を止め、止水弁１４を開けて薬品注入混合器１内の循環水をドレーンし、薬品注入混合器１内に掃除棒１７を通して、薬品注入用チャッキ弁４の先端部分の詰まりを解消し、その後、掃除棒１７を抜き取り、再び止水弁１４を閉じて、循環ろ過設備の運転を再開する。これにより、上記課題を達成出来る。【選択図】図１
0003148835.tif 000002
【実用新案登録請求の範囲】
【請求項１】
外部から目視観察自在の透明な薬品注入混合器本体の側壁に、薬品注入用チャッキ弁を設け、該薬品注入用チャッキ弁に対向する前記側壁に、取り外し自在の盲フランジ付きのメンテナンス用枝管を取り付けてなることを特徴とする薬品注入混合器。
【請求項２】
前記メンテナンス用枝管は、透明であり且つ前記メンテナンス用枝管に止水弁を取り付けると共に、該止水弁は前記薬品注入用チャッキ弁の詰まりを解消する掃除棒が貫通自在である請求項１記載の薬品注入混合器。
【請求項３】
前記メンテナンス用枝管に、前記薬品注入用チャッキ弁の詰まり解消の掃除具を、液密に取り付けてなる請求項１記載の薬品注入混合器。
【考案の詳細な説明】
【技術分野】
【０００１】  本考案は、プール、浴槽などの循環ろ過設備に付帯する薬品注入装置における薬品注入混合器に関する。
【背景技術】
【０００２】  従来の循環ろ過設備に付帯する薬品注入装置における薬品注入は、循環ろ過機流入側配管の管壁に薬品注入用チャッキ弁を設け、この薬品注入用チャッキ弁に薬品注入ポンプからのパイプを接続したものである。そして、薬品注入ポンプ作動時は、薬品注入用チャッキ弁が開き、薬品、例えば、塩素系殺菌液を循環ろ過タンク手前の配管内を通る循環水に注入し、分散混合して、その薬品注入の目的を達成する。一方、薬品注入ポンプが作動しない時は、薬品注入用チャッキ弁が閉じ、配管内を通る循環水が薬品注入ポンプ側に逆流しないようにしている。
【考案の開示】
【考案が解決しようとする課題】
【０００３】  しかしながら、上記した循環ろ過設備の運転継続により、循環水の配管に設けた薬品注入用チャッキ弁の先端部分に詰まりが生じて、薬品を循環水に注入するのに支障が起きてくる。さらに、循環ろ過だけでは要望する循環水の水質を維持出来ない場合に、循環水にＰＡＣなどの凝集剤を注入し、循環水中の微細粒子を凝集させてから、ろ過することが行われる。このような場合に、特に、薬品注入用チャッキ弁の先端部分に詰まりが生じ易くなる。【０００４】  薬品注入用チャッキ弁に詰まりが生じても、従来の薬品注入混合器では外部から目視観察が出来ないから、発見がどうしても遅れがちになり、循環水に薬品を注入することが出来ないまま、循環ろ過設備が運転されることになり、後に大きな障害を抱え込むことになる。【０００５】  そこで、本考案は、上記事情に鑑みてなされたもので、薬品注入状況が外部から目視観察が出来、薬品注入用チャッキ弁に詰まりが生じたら直ちに発見できて、しかもその詰まりを容易に解消でき、さらに、定期的に薬品注入用チャッキ弁を洗浄して詰まりを未然に防止し、循環水の水質を常に良好に保持することが出来る薬品注入混合器を提供することを課題とする。
【課題を解決するための手段】
【０００６】  本考案は、上記課題を達成するために提案されたものであって、下記の構成からなることを特徴とするものである。
すなわち、請求項１記載の考案は、外部から目視観察自在の透明な薬品注入混合器本体の側壁に、薬品注入用チャッキ弁を設け、該薬品注入用チャッキ弁に対向する前記側壁に、取り外し自在の盲フランジ付きのメンテナンス用枝管を取り付けてなることを特徴とする薬品注入混合器である。【０００７】  請求項２記載の考案は、前記メンテナンス用枝管が、透明であり且つ前記メンテナンス用枝管に止水弁を取り付けると共に、該止水弁は前記薬品注入用チャッキ弁の詰まりを解消する掃除棒が貫通自在である薬品注入混合器である。【０００８】  請求項３記載の考案は、前記メンテナンス用枝管に、前記薬品注入用チャッキ弁の詰まり解消の掃除具を、液密に取り付けてなる薬品注入混合器である。
【考案の効果】
【０００９】  以上詳述したように、本考案によれば、以下のような効果がある。
請求項１記載の考案は、透明な薬品注入混合器本体を通して、薬品注入用チャッキ弁の先端部分を目視観察することで、薬品注入、分散、混合状況を把握し、運転中にその先端部分から薬品注入がなされていなければ、その先端部分が詰まっている公算が大きいから、循環ろ過設備の運転を止め、盲フランジをメンテナンス用枝管から外して、薬品注入用チャッキ弁の先端部分の詰まりを解消し、再び、盲フランジを取り付けてメンテナンス用枝管を閉じ、循環ろ過設備の運転を再開する。したがって、薬品注入状況が外部から常に目視観察が出来るから、薬品注入用チャッキ弁の先端部分に詰まりが生じていたら、直ちに発見でき、しかも、その詰まりを容易に解消できて、循環水の水質を常に良好に保持することが出来る効果がある。【００１０】  請求項２記載の考案は、薬品注入用チャッキ弁の先端部分が詰まっているのを発見したら、循環ろ過設備の運転を止め、止水弁を開けてそれに掃除棒を挿通し、薬品注入用チャッキ弁の先端部分の詰まりを解消して、掃除棒を抜き取り、再び止水弁を閉じて、運転を再開する。したがって、上記効果に加えて、薬品注入用チャッキ弁の先端部分の詰まりの解消がより容易となる効果がある。【００１１】  請求項３記載の考案は、薬品注入用チャッキ弁の先端部分が詰まっているのを発見したら、循環ろ過設備を運転したままで、掃除具にて薬品注入用チャッキ弁の先端部分の詰まりを解消する。したがって、上記効果に加えて、循環ろ過設備の運転を止めることなく、薬品注入用チャッキ弁の先端部分の詰まりを解消出来る効果がある。
【考案を実施するための最良の形態】
【００１２】  以下に、図面を参照して本考案を実施するための最良の形態を説明する。
【実施例１】
【００１３】  図１は本考案の実施の形態を示す薬品注入混合器の半裁断面図、図２は図１の薬品注入混合器に取り付ける薬品注入用チャッキ弁の断面図、図３は本考案の実施の形態の薬品注入混合器を組み込んでいる循環ろ過設備のフローシート図である。図面において、薬品注入混合器１は、外部から目視観察自在の透明な薬品注入混合器本体２の側壁３ａに、薬品注入用チャッキ弁４を設け、この薬品注入用チャッキ弁４に対向する側壁３ａに、取り外し自在の止水弁１４付きのメンテナンス用枝管６を、取り付けてなるものである。【００１４】  上記薬品注入混合器本体２は、透明な樹脂製の短管３の両端にフランジ１０を取り付けてなり、短管３の側壁３ａに薬品注入用チャッキ弁４を設けるためのソケット１１を取り付けている。このソケット１１に対向する側壁３ａにメンテナンス用枝管６を取り付けているが、このメンテナンス用枝管６は、薬品注入混合器本体２の短管３よりも小径であり且つ透明な樹脂製の短管１２にフランジ１３を取り付けてなり、さらに、このフランジ１３に止水弁１４を取り付けてなるものである。【００１５】  また、このメンテナンス用枝管６には、止水弁１４に代えて、盲フランジ５が取り付けられても良い。この止水弁１４は、メンテナンス用枝管６のフランジ１３に合うフランジ１５を取り付けた透明な樹脂製の短管１６に、着脱自在に取り付けられている。なお、この止水弁１４は、ボール弁タイプの「開」の状態で、掃除棒１７を貫通させることが出来るものが採用され、さらに、ガイドパイプ１８が取り付けられている。このガイドパイプ１８は、薬品注入用チャッキ弁４の先端部分の詰まりを解消するための掃除棒１７を、止水弁１４及びメンテナンス用枝管６を通して、薬品注入混合器本体２内に挿入する際のガイド役をなす。【００１６】  前記薬品注入用チャッキ弁４は、薬品を注入すると共に薬品注入混合器本体２内の循環水の逆流を防ぐものであり、その構成は、例えば、バルブケース２０とバルブフィッテング２１とが螺着してなるものである。このバルブケース２０の一端は、バルブフィッテング２１に螺着するためのネジが切られ、他端もネジが切られ、後に詳述する塩素系殺菌液供給装置３５からの塩素系殺菌液を受け入れるための後述する耐圧ホース３９に接続するフィッテングナット２２が螺着されている。【００１７】  そして、バルブケース２０内には、ポペット２３が内装され、スプリング２４により薬品流入側に付勢され、バルブケース２０の内壁面にポペット２３が着座している。一方、バルブフィッテング２１は、その外周面に前記ソケット１１に螺着されるためのネジが切られ、その先端部分は末広がりのパイプ２１ａになっていて、塩素系殺菌液を分散混合し易くし、その基端側の内周面はバルブケース２０に螺着するためのネジが切られている。【００１８】  以上のように形成された薬品注入混合器１は、図３に示すように、循環ろ過設備３０に組み込まれるが、この循環ろ過設備３０は、プールや浴槽などの槽３１から引く抜いた循環水中の毛などを除去する除塵器３２と、循環ろ過機３３と、この循環ろ過機３３に除塵器３２からの循環水を送るポンプ３４と、循環水の水質を維持するための薬品供給装置、例えば、塩素系殺菌液供給装置３５と、からなっている。そして、本考案の薬品注入混合器１は、ポンプ３４と循環ろ過機３３との間の配管３６途中に設けられている。この塩素系殺菌液供給装置３５は、貯留タンク３７と定量供給ポンプ３８とからなって、耐圧ホース３９にて前記薬品注入用チャッキ弁４に接続している。なお、図３中、４０はバルブであり、４１はＰＡＣ供給装置であり、４２はＰＡＣ供給混合器であり、これらＰＡＣ供給装置４１及びＰＡＣ供給混合器４２は必要に応じて設備されるものである。【００１９】  次に、上記構成になる薬品注入混合器１の使用状況を、循環ろ過設備３０の運転状況に沿って説明する。
まず、ポンプ３４と循環ろ過機３３との間の配管３６途中に、薬品注入混合器１を設置し、薬品注入混合器１のソケット１１に薬品注入用チャッキ弁４を螺着して、この薬品注入用チャッキ弁４に塩素系殺菌液供給装置３５からの耐圧ホース３９を繋げることで
、薬品注入混合器１を循環ろ過設備３０内に組み込む。【００２０】  次に、循環ろ過設備３０の運転を開始する。すなわち、槽３１内の循環水を抜いて除塵器３２に送り、毛などの比較的大きな物を除去し、ポンプ３４にて循環ろ過機３３に循環水が送られ、その過程で循環水は薬品注入混合器１を通ることになる。この際、塩素系殺菌液供給装置３５の定量供給ポンプ３８により供給された塩素系殺菌液は、耐圧ホース３９を通り薬品注入用チャッキ弁４内に入り、その薬品注入用チャッキ弁４の先端部分である末広がりのパイプ２１ａから循環水に注入され、分散混合される。【００２１】  殺菌された循環水は、循環ろ過機３３に入りろ過されて微細粒子が除去され、槽３１に戻されて、以下同じようにして循環運転が継続される。なお、塩素系殺菌液供給装置３５の定量供給ポンプ３８が止まると、薬品注入用チャッキ弁４は、「閉」となって、循環水が塩素系殺菌液供給装置３５側に逆流することはない。【００２２】  このようにして、循環ろ過設備３０の運転が継続されていると、薬品注入用チャッキ弁４の先端部分であるバルブフィッテング２１の末広がりのパイプ２１ａに詰まりが生じ、塩素系殺菌液が薬品注入混合器１内の循環水に注入されないことになる。しかし、本考案の薬品注入混合器１は、透明であるから、その状況を外部から容易に発見することができる。この詰まりを発見したら、その詰まりを解消する必要があり、その手順は以下の通りである。【００２３】  まず、循環ろ過設備３０の運転を停止した後、薬品注入混合器１の両側にあるバルブ４０を閉じてから、メンテナンス用枝管６の止水弁１４を開き、薬品注入混合器１内の循環水をドレーンして、掃除棒１７をガイドパイプ１８側から止水弁１４及びメンテナンス用枝管６を通して薬品注入混合器本体２内に挿入し、掃除棒１７にて薬品注入用チャッキ弁４の先端部分である末広がりのパイプ２１ａの詰まりを除去する。この詰まりを除去したら、掃除棒１７を抜き取り止水弁１４を閉じて、バルブ４０を開き、循環ろ過設備３０の運転を再開して、塩素系殺菌液が薬品注入混合器１内の循環水に注入されていることを確認し、メンテナンス作業を終了する。なお、メンテナンス用枝管６のフランジ１３に盲フランジ５が取り付けられている場合は、薬品注入混合器１の両側にあるバルブ４０を閉じてから、盲フランジ５を外して、掃除棒１７にて詰まりを除去することになる。なお、上記の説明では、薬品注入用チャッキ弁４が詰まってから、その除去作業を行うことにしたが、定期的に薬品注入用チャッキ弁４を洗浄して未然に詰まりを防止することは、何ら差し支えない。
【実施例２】
【００２４】  図４は本考案の他の実施の形態を示す薬品注入混合器の断面図であり、この薬品注入混合器１Ａと、図１ないし図３の薬品注入混合器１との相違点は、掃除棒１７に代えて、前記メンテナンス用枝管６に、前記薬品注入用チャッキ弁４の詰まり解消の掃除具５０を、液密に取り付けてなる点である。【００２５】  すなわち、掃除具５０は、メンテナンス用枝管６のフランジ１３に合うフランジ５１に蛇腹管５２を取付を取り付け、この蛇腹管５２にシール材５３にて液密に前記掃除棒１７を取り付けたものである。これにより、薬品注入用チャッキ弁４の先端部分であるパイプ２１ａが詰まっているのを発見したら、循環ろ過設備３０を運転したままで、掃除具５０の掃除棒１７を延ばして、パイプ２１ａの詰まりを解消することが出来るものである。【００２６】  以上、本考案の実施例１及び２を説明したが、具体的な構成はこれに限定されず、本考案の要旨を逸脱しない範囲での変更・追加、各請求項における他の組み合わせにかかるものも、適宜可能であることが理解されるべきである。
【産業上の利用可能性】
【００２７】  本考案の薬品注入混合器は、薬品注入状況を常に外部から監視し、詰まりなどの異変が発見されたら、その異変を容易に解消して、循環水の水質を常に良好に保持したいような場合に、その利用可能性が極めて高くなる。
【図面の簡単な説明】
【００２８】
【図１】  本考案の実施の形態を示す薬品注入混合器の半裁断面図である（実施例１）。
【図２】  図１の薬品注入混合器に取り付ける薬品注入用チャッキ弁の断面図である（実施例１）。
【図３】  本考案の実施の形態の薬品注入混合器を組み込んでいる循環ろ過設備のフローシート図である（実施例１）。
【図４】  本考案の他の実施の形態を示す薬品注入混合器の断面図である（実施例２）。
【符号の説明】
【００２９】１、１Ａ                  薬品注入混合器
２                        薬品注入混合器本体
３、１２、１６            透明な樹脂製の短管
３ａ                      側壁
４                        薬品注入用チャッキ弁
５                        盲フランジ
６                        メンテナンス用枝管
１０、１３、１５、５１    フランジ
１１                      ソケット
１４                      止水弁
１７                      掃除棒
１８                      ガイドパイプ
２０                      バルブケース
２１                      バルブフィッテング
２１ａ                    末広がりのパイプ
２２                      フィッテングナット
２３                      ポペット
２４                      スプリング
３０                      循環ろ過設備
３１                      槽
３２                      除塵器
３３                      循環ろ過機
３４                      ポンプ
３５                      塩素系殺菌液供給装置
３６                      配管
３７                      貯留タンク
３８                      定量供給ポンプ
３９                      耐圧ホース
４０                      バルブ
４１                      ＰＡＣ供給装置
４２                      ＰＡＣ供給混合器
５０                      掃除具
５２                      蛇腹管
５３                      シール材
【図１】
0003148835.tif 000003
【図２】
0003148835.tif 000004
【図３】
0003148835.tif 000005
【図４】
0003148835.tif 000006